【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
脊柱の成長を安定化及び誘導するシステムであって、
細長支持部材を摺動可能に受けるように形成された少なくとも１つの誘導コネクタであって、前記誘導コネクタは骨接続部及び誘導部とを有し、前記骨接続部が椎骨に堅固に前記誘導コネクタを固定するようになっており、前記誘導部が、前記細長支持部材を受けるように形成された開口部を有する支持要素を有し、前記支持要素が、前記開口部内の前記細長支持要素の相対的な摺動運動を許容し、前記誘導部が、更に、少なくとも１つの可撓性翼部を有するプラットフォーム部材と、前記骨接続部に前記プラットフォーム部材を取り付けるための接続部とを有している、前記誘導コネクタを備え、
前記細長支持部材が前記誘導コネクタによって受け入れられるとき、前記少なくとも１つの翼部が、前記支持要素の少なくとも一部を形成するよう前記細長支持部材の周りに屈曲可能である、システム。
【請求項２】
前記開口部は第１通路と第２通路とを形成し、前記第１通路は第１細長支持部材を受けるようになっており、且つ前記第２通路は第２細長支持部材を受けるようになっている、請求項１に記載のシステム。
【請求項３】
少なくとも１つの細長支持部材と、
細長支持部材受け入れチャンネルと、ロック機構と、骨係止部とを有する少なくとも１つの骨固定要素であって、前記骨係止部は、前記骨固定要素を骨に堅固に固定するように構成され、前記ロック機構は、前記チャンネル内に前記細長支持部材を堅固に固定するように構成され、前記誘導コネクタは、前記細長支持部材に沿って移動可能であり、所定の経路に沿って脊柱の成長を許容して制御するように構成されている、前記骨固定要素と、をさらに備える請求項１に記載のシステム。
【請求項４】
前記所定の経路は前記細長支持部材によって形成されている請求項３に記載のシステム。
【請求項５】
前記誘導コネクタの骨接続部が、フック、ピン、タック、ステーク、釘、刃、ネジ、及びクランプの群のうちの少なくとも１つを有する請求項１に記載のシステム。
【請求項６】
前記支持要素が、前面と、背面と、側面と、前記支持要素を通って前記前面から前記背面に延びる複数の通路と、前記支持要素の側面を囲み且つ前記骨接続部に前記支持要素を接続するハウジングとを有し、内面が前記通路を定め、ポリマー材料から形成されている、請求項１に記載のシステム。
【請求項７】
前記誘導コネクタが、プラットフォーム部材と、少なくとも１つのブッシュと、クランプ部材と、固定機構とを含み、前記ブッシュが前記少なくとも１つの通路と外側表面とを有し、前記プラットフォーム部材及びクランプ部材が、前記ブッシュの側面の少なくとも一部を囲み、前記固定機構は、前記ブッシュが前記プラットフォーム部材及び前記クランプ部材に対して多軸回転するのを許容するアンロック位置と、前記プラットフォーム部材及び前記クランプ部材に対して前記ブッシュの位置を固定するロック位置とを有する請求項１に記載のシステム。
【請求項８】
前記誘導コネクタが２つのブッシュを有し、各ブッシュが、切頭球形の外側表面を有し、前記固定機構がネジ付き止めネジを有する請求項７に記載のシステム。
【請求項９】
前記骨接続部がポスト部材を有し、
前記誘導部が、
ボアを定める中空スリーブと、前記ポスト部材を受ける凹部とを有し、前記ポスト部材を覆って嵌合される少なくとも１つのスリーブコネクタと、
前記スリーブのボア内に位置決めされ且つ前記スリーブに対して多軸回転可能な前記支持要素を形成するブッシュと、
ポスト部材上に嵌合し且つ前記ポスト部材と接続して、前記スリーブコネクタ及び前記ブッシュの位置を固定するように構成されたナットと、を有し、
前記細長支持要素は、前記ブッシュが前記スリーブに対して嵌合されたときに前記支持要素の通路内で摺動可能である、請求項１に記載のシステム。
【請求項１０】
前記スリーブコネクタが、第１の脚部及び第２の脚部を有するＣ字形クランプを含み、前記ロッドが前記ブッシュに対して摺動するのを許容しながら、前記ナットが、前記第１の脚部を前記第２の脚部に圧入して前記スリーブに対して前記ブッシュの位置を固定する、請求項９に記載のシステム。
【請求項１１】
前記ブッシュがポリマー材料から形成され、前記スリーブが、前記ブッシュとは異なる材料から形成される、請求項９に記載のシステム。
【請求項１２】
前記誘導コネクタが、
少なくとも１つのブッシュを受ける少なくとも１つの開口部を有し、且つ、この開口部に対してある角度でハウジング部材を延通するチャンネルとを有する前記ハウジング部材であって、前記ブッシュが、前記細長支持部材を受けるための通路を有する前記ハウジング部材と、
前記骨接続部から前記ハウジング内の前記チャンネルを通って延びるケーブルと、
前記骨接続部に前記ハウジング部材を接続するため前記ケーブルに固定可能なクリンプと、を有し、
前記細長支持部材は、前記誘導コネクタがインプラントされたときに前記ブッシュ内で摺動可能である、請求項１に記載のシステム。
【請求項１３】
前記誘導部が、更に、
プラットフォーム部材と、該プラットフォーム部材上に取り付けられた少なくとも１つのブッシュと、
第１及び第２の端部を有するケーブル部材と、を有し、
前記ケーブル部材が、前記ブッシュの周りに少なくとも部分的に延びて、前記プラットフォーム部材上で且つ前記骨接続部に前記ブッシュを固定する、請求項１に記載のシステム。
【請求項１４】
前記誘導部が、更に、停止部材を有し、前記ケーブルが、前記停止部材の外に延在して前記ブッシュの少なくとも一部に巻回し、前記ケーブルが、前記停止部材に調整可能に固着されて、前記ケーブル内の張力を調整する、請求項１３に記載のシステム。
【請求項１５】
前記骨接続部が、更に、横断開口部と、ケーブルとを備え、前記ケーブルは、前記少なくとも１つの翼部の外面の周りに延び且つ前記開口部を延通して、前記少なくとも１つの翼部により形成された前記支持要素内に前記細長支持部材を固定するように構成される、請求項１に記載のシステム。
【請求項１６】
前記誘導部の前記プラットフォーム部材は、前記骨接続部にこのプラットフォーム部材を枢動可能に取り付けるようにされ、前記誘導コネクタが、更に、ケーブルを有し、前記ケーブルは、前記少なくとも１つの翼部の外面の周りに延びて、前記少なくとも１つの翼部により形成可能な前記支持要素内に前記少なくとも１つの細長支持部材を固定するようにする、請求項１に記載のシステム。
【請求項１７】
前記プラットフォーム部材が、更に、突出部材と少なくとも２つの可撓性翼部とを有し、前記突出部材及び翼部が、２つの細長支持部材を受け入れるための少なくとも２つのベイを形成し、前記突出部及び翼部が、前記細長支持部材のために前記支持要素の少なくとも一部を構成する、請求項１６に記載のシステム。
【請求項１８】
遠位端と、停止部材を有する近位端とを含むシャフトを有するハンドル部と、
チャンネルを有する遠位ホルダと、
チャンネルを有する近位ホルダと、
を有する誘導コネクタホルダを更に備え、
前記近位ホルダのチャンネルが、前記ハンドル部の遠位端を覆うように挿入可能であり且つ前記シャフトに対して摺動可能であり、前記ハンドル部に前記ケーブルタイを固定するように構成可能であり、
前記遠位ホルダの前記チャンネルが、前記ハンドル部の遠位端を覆うように挿入可能であり、前記シャフトに対して摺動可能であり、前記ハンドル部に前記誘導コネクタの少なくとも１つの翼部とケーブルタイとを固定するように構成可能である、請求項１６に記載のシステム。
【請求項１９】
前記誘導部を側方ロッド接続部と一体的に且つモノリシックに形成させた側方ロッド接続部材を更に備え、前記側方ロッド接続部材が、前記脊柱に対して前記誘導部の位置を調整するために前記骨接続部に調整可能に固定できる、請求項１に記載のシステム。
【請求項２０】
更に、平行コネクタを備え、この平行コネクタが、前記細長支持部材の少なくとも１つを確実に受けて任意選択的に固定して受けるためのフックとブッシュを受け入れるための開口部とを含むハウジングを有し、前記ブッシュが、前記細長支持部材の少なくとも１つを摺動可能に受け入れて、この細長支持部材の原位置での運動を許容するボアを有する、請求項１に記載のシステム。
【請求項２１】
更に、平行コネクタ及びケーブルを備え、この平行コネクタが、２つのボアと、２つの開口部と、外側とを有するハウジングを含み、前記各開口部が、前記ハウジングの外側から前記ボアの内部に延在し、前記ボアが、前記細長支持部材を摺動可能に受けるようなサイズにされ、前記開口部が、前記ボア内で前記細長支持部材の固定を促進するように前記細長支持部材の幅よりも小さなサイズにされ、前記ハウジングは、前記細長支持部材が前記開口部を通って前記ボア内に入ることを許容するように可撓性であり、前記ハウジングが更に、前記外側において前記ケーブルを受けるための前記ボアの少なくとも一部の周りに延在するチャンネルを有し、これにより前記ケーブルが、前記チャンネル内で受け入れ可能であり、前記ボア内に前記細長支持部材を固定して、前記ハウジングに対して前記細長支持部材の摺動運動を許容するようにする、請求項１に記載のシステム。